(57)【要約】【課題】給湯栓使用時に流れる流量の圧損を減らし、浴槽への注湯時に給湯栓を使用した際に精度よく給湯栓の使用を検出し、注湯を待機し給湯側の使い勝手をよくする。【解決手段】給水経路に配設された給湯流量センサ４と、熱交換器３と、浴槽に注湯する注湯電磁弁６と、浴槽側に流れる流量を検出する注湯流量センサ５と、給湯流量を求める給湯流量検出手段９と、注湯流量を求める注湯流量検出手段１０と、前記給湯流量検出手段９と注湯流量検出手段１０で求めた流量から給湯栓の使用の有無を検出する給湯使用検出手段１１と、前記給湯使用検出手段１１により給湯栓を使用している際には必要に応じて前記注湯電磁弁を閉じ給湯栓の使用が終了するまで浴槽への注湯を待機する注湯待機判定手段１８と、前記給湯流量検出手段９と注湯流量検出手段１０の補正を行う流量補正手段１９を備えた構成としてある。【選択図】図１
2005147576.tif 000002
【特許請求の範囲】
【請求項１】
給水経路に配設された給湯流量センサと、熱交換器と、前記熱交換器で加熱された湯を浴槽に注湯する注湯電磁弁と、浴槽側に流れる流量を検出する注湯流量センサと、前記給湯流量センサからの信号で給湯流量を求める給湯流量検出手段と、前記注湯流量センサからの信号で注湯流量を求める注湯流量検出手段と、前記給湯流量検出手段と注湯流量検出手段で求めた流量から給湯栓の使用の有無を検出する給湯使用検出手段と、前記給湯使用検出手段により給湯栓を使用している際には必要に応じて前記注湯電磁弁を閉じ給湯栓の使用が終了するまで浴槽への注湯を待機する注湯待機判定手段と、前記給湯流量検出手段と注湯流量検出手段の補正を行う流量補正手段を備えた給湯器の制御装置。
【請求項２】
給湯流量検出手段で求めた給湯流量が所定量以内に安定しているか否かを判定する給湯流量安定判定手段を備えた請求項１記載の給湯器の制御装置。
【請求項３】
給湯流量検出手段で求めた給湯流量が所定量以上流れているか否かを判定する給湯流量所定量判定手段を備えた請求項１記載の給湯器の制御装置。
【請求項４】
注湯流量検出手段で求めた注湯流量が所定量以内に安定しているか否かを判定する注湯流量安定判定手段を備えた請求項１〜３のいずれか１項記載の給湯器の制御装置。
【請求項５】
注湯流量検出手段で求めた注湯流量が所定量以上流れているか否かを判定する注湯流量所定量判定手段を備えた請求項１〜３のいずれか１項記載の給湯器の制御装置。
【請求項６】
流量補正手段により給湯流量と注湯流量の補正流量を不揮発メモリーに記憶および読み込みすることを可能にした不揮発性メモリー制御手段を備えた請求項１〜５のいずれか１項記載の給湯器の制御装置。
【請求項７】
流量補正手段により給湯流量と注湯流量の補正方法を区別させる工場検査判定手段を備えた請求項６記載の給湯器の制御装置。
【発明の詳細な説明】
【技術分野】
【０００１】
本発明は、家庭用給湯器の給湯栓の使用状況を判別する制御に関するものである。
【背景技術】
【０００２】
従来、ふろ給湯機では浴槽に湯を張る際に給湯栓を使用したか否かの判断は、給湯機の出口側に給湯水流スイッチを設け、給湯水流スイッチのオン判定により検出していた（例えば特、許文献１参照）。
【０００３】
また、給湯流量と注湯流量の差から給湯栓の使用状況を検知し、浴槽への注湯は継続するようにしている（例えば、特許文献２参照）。
【特許文献１】特開平０７−３５４０８号公報
【特許文献２】特開平０７−１６７４９１号公報
【発明の開示】
【発明が解決しようとする課題】
【０００４】
しかしながら、上記従来の構成では、給湯水流スイッチは給湯栓使用時に流れる流量の圧損を増やし抵抗となって、給湯栓使用時の流量を制限してしまうという課題があった。
【０００５】
また、給湯栓側と浴槽側双方に湯を使用するため給湯側の流量が減少してしまい給湯側の使い勝手が悪いという課題があった。
【０００６】
本発明は、上記課題を解決するもので、給湯水流スイッチをなくし、給湯栓使用時に流れる流量を増やすと共に、浴槽に湯を張る際に、給湯栓を使用したか否かの判断を精度よく行い、場合によっては浴槽への注湯を待機し、給湯側の使い勝手をよくすることを目的とする。
【課題を解決するための手段】
【０００７】
前記従来の課題を解決するために、本発明の給湯器の制御装置は、給水経路に配設された給湯流量センサと、熱交換器と、前記熱交換器で加熱された湯を浴槽に注湯する注湯電磁弁と、浴槽側に流れる流量を検出する注湯流量センサと、前記給湯流量センサからの信号で給湯流量を求める給湯流量検出手段と、前記注湯流量センサからの信号で注湯流量を求める注湯流量検出手段と、前記給湯流量検出手段と注湯流量検出手段で求めた流量から給湯栓の使用の有無を検出する給湯使用検出手段と、前記給湯使用検出手段により給湯栓を使用している際には必要に応じて前記注湯電磁弁を閉じ給湯栓の使用が終了するまで浴槽への注湯を待機する注湯待機判定手段と、前記給湯流量検出手段と注湯流量検出手段の補正を行う流量補正手段を備えた構成としてある。
【０００８】
これによって、注湯電磁弁を開けて浴槽に注湯している際に給湯流量と注湯流量の差により、給湯栓使用の有無の判定をして、必要であれば注湯電磁弁を閉じ注湯を待機することで給湯側の使い勝手をよくする。また、給湯栓が未使用で注湯弁が開いている際に給湯流量と注湯流量の差を補正することで、給湯流量センサと注湯流量センサの固体間のバラツキを吸収でき給湯栓の使用を精度よく判定できることとなる。
【発明の効果】
【０００９】
本発明の給湯栓の使用を検出する制御装置は、給湯流量スイッチを使用せずに、給湯栓使用時の検出を精度よく行うことで、給湯栓使用時に流れる流量を増やすと共に、浴槽に湯を張る際に、給湯栓を使用したか否かの判断により場合によっては浴槽への注湯を待機することで、給湯側の使い勝手をよくすることができる。
【発明を実施するための最良の形態】
【００１０】
第１の発明は、給水経路に配設された給湯流量センサと、熱交換器と、前記熱交換器で加熱された湯を浴槽に注湯する注湯電磁弁と、浴槽側に流れる流量を検出する注湯流量センサと、前記給湯流量センサからの信号で給湯流量を求める給湯流量検出手段と、前記注湯流量センサからの信号で注湯流量を求める注湯流量検出手段と、前記給湯流量検出手段と注湯流量検出手段で求めた流量から給湯栓の使用の有無を検出する給湯使用検出手段と、前記給湯使用検出手段により給湯栓を使用している際には必要に応じて前記注湯電磁弁を閉じ給湯栓の使用が終了するまで浴槽への注湯を待機する注湯待機判定手段と、前記給湯流量検出手段と注湯流量検出手段の補正を行う流量補正手段を備えたことを特徴とするもので、注湯電磁弁を開けて浴槽に注湯している際に給湯流量と注湯流量の差により、給湯栓使用の有無の判定をして、必要であれば注湯電磁弁を閉じ注湯を待機することで給湯側の使い勝手をよくする。また、給湯栓が未使用で注湯弁が開いている際に給湯流量と注湯流量の差を補正することで、給湯流量センサと注湯流量センサの固体間のバラツキを吸収でき給湯栓の使用を精度よく判定できることができる。
【００１１】
第２の発明は、給湯流量検出手段で求めた給湯流量が所定量以内に安定しているか否かを判定する給湯流量安定判定手段を備えたことを特徴とするもので、給湯流量が安定していない際には、補正を行わない。また、給湯栓使用の判定も行わないことで、給湯栓の使用を精度よく判定できる。
【００１２】
第３の発明は、給湯流量検出手段で求めた給湯流量が所定量以上流れているか否かを判定する給湯流量所定量判定手段を備えたことを特徴とするもので、給湯流量が所定流量以上流れていない際には、補正を行わない。また、給湯栓使用の判定も行わないことで、給湯栓の使用を精度よく判定することができる。
【００１３】
第４の発明は、注湯流量検出手段で求めた注湯流量が所定量以内に安定しているか否かを判定する注湯流量安定判定手段を備えたことを特徴とするもので、注湯流量が安定していない際には、補正を行わない。また、給湯栓使用の判定も行わないことで、給湯栓の使用を精度よく判定することができる。
【００１４】
第５の発明は、注湯流量検出手段で求めた注湯流量が所定量以上流れているか否かを判定する注湯流量所定量判定手段を備えたことを特徴とするもので、注湯流量が所定流量以上流れていない際には、補正を行わない。また、給湯栓使用の判定も行わないことで、給湯栓の使用を精度よく判定することができる。
【００１５】
第６の発明は、流量補正手段により給湯流量と注湯流量の補正流量を不揮発メモリーに記憶および読み込みすることを可能にした不揮発性メモリー制御手段を備えたことを特徴とするもので、初期の補正が必要なく、使用者は停電復帰後にも給湯栓の使用を精度よく判定できることとなる。
【００１６】
第７の発明は、流量補正手段により給湯流量と注湯流量の補正方法を区別させる工場検査判定手段を備えたことを特徴とするもので、工場検査時の給湯流量と注湯流量の補正方法と、市場にて使用させる際の給湯流量と注湯流量の補正方法を区別することで給湯栓の使用を精度よく判定することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における給湯器の構成図であり、図２は、同給湯器の動作を示すフローチャートである。
【００１９】
図において、１は熱源機リモコンで、熱源機２と通信を行い自動湯張り等の操作指示を行うものである。３は熱交換器で水を湯に換える。４は給湯流量センサで給水経路に配設され熱交換器３内に流れる流量を検出するものである。６は注湯電磁弁で、熱交換器３からの湯を浴槽７に流す際に開ける。５は注湯流量センサで、注湯電磁弁６を開け浴槽７内に流れる流量を検出するものである。９は給湯流量検出手段で、給湯流量センサ４からの流量を検出する手段である。１０は注湯流量検出手段で、注湯流量センサ５からの流量を検出する手段である。１１は給湯使用検出手段で、給湯流量検出手段９と注湯流量検出手段１０の流量差により給湯栓１６を使用しているか否かの判断をする。１２は給湯流量所定量判定手段で給湯流量検出手段９が検出する給湯流量が所定量以上か否かを判定する。１３は給湯流量安定判定手段で、給湯流量検出手段９が検出する給湯流量が安定しているか否かを判定する。１４は注湯流量所定量判定手段で注湯流量検出手段１０が検出する注湯流量が所定量以上か否かを判定する。１５は注湯流量安定判定手段で、注湯流量検出手段１０が検出する注湯流量が安定しているか否かを判定する。１８は注湯待機判定手段で、浴槽７への注湯中に給湯栓１６の使用を給湯使用検出手段１１より検出した場合に注湯電磁弁６を閉じて注湯を待機する。１９は流量補正手段で、注湯電磁弁６が開いて注湯中に給湯流量検出手段９と注湯流量検出手段１０の流量差を流量補正値とする。また注湯流量検出手段１０は、流量補正手段１９からの流量補正値を加減算して注湯流量を算出する。２０は工場検査判定手段で、流量補正手段１９での給湯流量検出手段９と注湯流量検出手段１０の流量補正方法を工場検査時と市場にて通常に使用される場合で区別する。
【００２０】
以上のように構成された給湯器について、以下その動作、作用を説明する。
【００２１】
まず、第１の手段は、熱源機リモコン１の自動スイッチ８をオンすると注湯電磁弁６を開け、浴槽７へ湯張りを開始する。この際の給湯流量検出手段９と注湯流量検出手段１０の流量は、ほぼ同じ流量を検出している。流量補正手段１９は、給湯流量検出手段９と注湯流量検出手段１０の流量差を流量補正値とする。また注湯流量検出手段１０は、流量補正手段１９からの流量補正値を加減算して注湯流量を算出する。
【００２２】
次に、給湯栓１６を使用した際には、給湯流量検出手段９は注湯流量検出手段１０よりも多くなる、この流量差を給湯栓使用検出手段１１により所定流量以上の差を検出すると、給湯栓１６を使用していると判断し、注湯待機判定手段１８により注湯電磁弁を閉じ注湯処理を待機する。以上のように、本実施の形態においては流量補正手段１９が、給湯流量検出手段９と注湯流量検出手段１０の流量差を流量補正することで給湯栓１６の使用を給湯流量センサ４、注湯流量センサ５のバラツキがあっても精度よく検出することができる。
【００２３】
第２の手段では、流量補正手段１９が、給湯流量検出手段９と注湯流量検出手段１０の流量差を流量補正値とする際に、給湯流量所定流量判定手段１２により、給湯流量検出手段９が検出する流量が所定流量以上流れている場合のみ流量補正することで、正確に補正することができ、かつ正確に給湯栓使用検出手段１１により給湯栓１６の使用を検出することができる。
【００２４】
第３の手段では、流量補正手段１９が、給湯流量検出手段９と注湯流量検出手段１０の流量差を流量補正値とする際に、給湯流量安定判定手段１３により、給湯流量検出手段９が検出する流量が安定している場合のみ、流量補正することで、正確に補正することができ、かつ正確に給湯栓使用検出手段１１により給湯栓１６の使用を検出することができる。
【００２５】
第４の手段では、流量補正手段１９が、給湯流量検出手段９と注湯流量検出手段１０の流量差を流量補正値とする際に、注湯流量所定流量判定手段１４により、注湯流量検出手段１０が検出する流量が所定流量以上流れている場合のみ、流量補正することで、正確に補正することができ、かつ正確に給湯栓使用検出手段１１により給湯栓１６の使用を検出することができる。
【００２６】
第５の手段では、流量補正手段１９が、給湯流量検出手段９と注湯流量検出手段１０の流量差を流量補正値とする際に、注湯流量安定判定手段１５により、注湯流量検出手段１０が検出する流量が安定している場合のみ、流量補正することで、正確に補正することができ、かつ正確に給湯栓使用検出手段１１により給湯栓１６の使用を検出することができる。
【００２７】
第６の手段では、流量補正手段１９により給湯流量と注湯流量の補正流量を不揮発メモリー１７に記憶および読み込みすることを可能にした不揮発性メモリー制御手段により、一度補正流量を記憶すると初期の補正が必要なく、使用者は停電復帰後にも給湯栓１６の使用を精度よく検出することができる。
【００２８】
第７の手段では、流量補正手段１９が、給湯流量検出手段９と注湯流量検出手段１０の流量差を流量補正値とする際に、補正方法を区別させる工場検査判定手段２０により、工場検査時の補正方法と、市場にて使用させる際の補正方法を区別する。工場検査判定手段２０により、工場検査状態であると認識した場合には、確実に給湯栓１６を使用していないので短時間で給湯流量検出手段９と注湯流量検出手段１０の流量差を流量補正することができる。一方、工場検査判定手段２０により、市場にて使用していると認識した場合には、給湯栓１６が使用されている可能性があるので、短時間で流量補正をせずに、確実に給湯栓１６が使用されていない時に流量補正することで、給湯栓１６の使用を精度よく流量補正することができる。
【産業上の利用可能性】
【００２９】
以上のように、本発明にかかる給湯器の制御装置は、給湯栓の使用を検出する制御装置は、給湯流量スイッチを使用せずに、給湯栓使用時の検出を精度よく行うことで、給湯栓使用時に流れる流量を増やすと共に、浴槽に湯を張る際に、給湯栓を使用したか否かの判断により場合によっては浴槽への注湯を待機することで、給湯側の使い勝手をよくすることができるので、家庭用給湯機に適用できる。
【図面の簡単な説明】
【００３０】
【図１】本発明の実施の形態１における給湯機の構成図
【図２】本発明の実施の形態１における制御装置のフローチャート
【符号の説明】
【００３１】
３  熱交換器
４  給湯流量センサ
５  注湯流量センサ
６  注湯電磁弁
９  給湯流量検出手段
１０  注湯流量検出手段
１１  給湯使用検出手段
１８  注湯待機判定手段
１９  流量補正手段
【図１】
2005147576.tif 000003
【図２】
2005147576.tif 000004